(57)【要約】【課題】着信側の移動端末のユーザが手動で蓄積メッセージの再生をしなくても、ネットワークへの負荷を考慮しつつメッセージ内容を確実に知ること。【解決手段】移動通信網の負荷が高い場合（例えば、100％〜70％を越える場合）は、メッセージ添付はしない処理と判定し、処理を中断して加工応答によりメッセージ添付なしで通知のみを行う（Ｋ１０）。移動通信網の負荷がそれほど高くない場合（例えば、70％〜50％の場合）は、配信するメール最大ファイルサイズの上限値を、通常の配信するメール最大ファイルサイズの2分の１とする。さらに、処理を継続しユーザの設定状況を確認する処理へと移行する（Ｆ２０）。移動通信網の負荷が高くない場合（例えば、50％〜0％の場合）は、配信するメール最大ファイルサイズの上限値を、通常の配信するメール最大ファイルサイズのままとする。【選択図】図６
2008270932.tif 000002
【特許請求の範囲】
【請求項１】
移動端末に着信があったにもかかわらず呼の接続ができない場合に音声を含む留守番電話メッセージを蓄積するメッセージ蓄積手段と、
前記着信のあった移動端末との接続を行うネットワークの通信負荷状態を検出する負荷状態検出手段と、
前記着信のあった移動端末のメールアドレスを取得するメールアドレス取得手段と、
前記負荷状態検出手段により一定の負荷が検出されたときは、前記メッセージ蓄積手段において蓄積された留守番電話メッセージのうち前半部分のみを添付したメールを、前記メールアドレス取得手段において取得したメールアドレスに送信するメッセージ送信手段と
を備えたことを特徴とする留守番電話サービス装置。
【請求項２】
前記留守番電話メッセージは、画像データを含むことを特徴とする請求項１に記載の留守番電話サービス装置。
【請求項３】
前記メッセージ送信手段は、前記留守番電話メッセージに関連する情報を含むメールを生成し、前記留守番電話メッセージを添付して送信することを特徴とする請求項１または２に記載の留守番電話サービス装置。
【請求項４】
前記移動端末から予め設定された転送先アドレスに前記留守番電話メッセージを転送する転送指示を受信する転送指示受信手段をさらに備え、
前記メッセージ送信手段は、前記転送指示が送信された場合は、前記留守番電話メッセージを前記予め設定された転送先アドレスに送信するとともに、前記留守番電話メッセージに関連する情報を含むメールをメッセージ添付なしで前記移動端末に送信することを特徴とする請求項３に記載の留守番電話サービス装置。
【請求項５】
前記移動端末から、予め設定されたウェブサイトへの前記留守番電話メッセージの掲載指示を受信するウェブサイト掲載指示受信手段をさらに備え、
前記メッセージ送信手段は、前記転送指示が送信された場合は、前記留守番電話メッセージを前記予め設定されたウェブサイトに掲載するとともに、前記留守番電話メッセージに関連する情報を含むメールをメッセージ添付なしで前記移動端末に送信することを特徴とする請求項３に記載の留守番電話サービス装置。
【請求項６】
移動端末の公衆網に接続される留守番電話サービス装置において、蓄積された留守番電話メッセージを確認する蓄積メッセージ確認方法であって、
移動端末に着信があったにもかかわらず呼の接続ができない場合に音声を含む留守番電話メッセージを蓄積するメッセージ蓄積ステップと、
前記着信のあった移動端末との接続を行うネットワークの通信負荷状態を検出する負荷状態検出ステップと、
前記着信のあった移動端末のメールアドレスを取得するメールアドレス取得ステップと、
前記負荷状態検出手段により一定の負荷が検出されたときは、前記メッセージ蓄積手段において蓄積された留守番電話メッセージのうち前半部分のみを添付したメールを、前記メールアドレス取得手段において取得したメールアドレスに送信するメッセージ送信ステップと
を備えたことを特徴とする蓄積メッセージ確認方法。
【請求項７】
コンピュータに、
移動端末の公衆網に接続される留守番電話サービス装置において、蓄積された留守番電話メッセージを確認する蓄積メッセージ確認方法であって、
移動端末に着信があったにもかかわらず呼の接続ができない場合に音声を含む留守番電話メッセージを蓄積するメッセージ蓄積ステップと、
前記着信のあった移動端末との接続を行うネットワークの通信付負荷状態を検出する負荷状態検出ステップと、
前記着信のあった移動端末のメールアドレスを取得するメールアドレス取得ステップと、
前記負荷状態検出手段により一定の負荷が検出されたときは、前記メッセージ蓄積手段において蓄積された留守番電話メッセージのうち前半部分のみを添付したメールを、前記メールアドレス取得手段において取得したメールアドレスに送信するメッセージ送信ステップと
を備えた蓄積メッセージ確認方法を実行させるプログラム。
【発明の詳細な説明】
【技術分野】
【０００１】
本発明は、留守番電話サービス装置および蓄積メッセージ確認方法に関し、特に携帯電話などの移動端末向け留守番電話サービス装置および蓄積メッセージ確認方法に関する。
【背景技術】
【０００２】
従来から、移動通信網における留守番電話サービス装置では、発信側の移動通信端末から音声や映像メッセージが蓄積されると、着信側の移動通信端末へメッセージが蓄積されたことを通知しておき、留守番電話サービス装置へ手動もしくは自動で接続されると、蓄積メッセージの再生を行って蓄積メッセージの内容を確認することが可能な技術が提案されている。また、メッセージが蓄積されたことを通知する際に、蓄積されたメッセージ件数や、時刻情報や発信者の番号、録音・録画時間などの付加情報を通知する技術が提案されている（例えば、特許文献１参照）。これにより、着信側の移動端末から手動で再生しなくても即事にメッセージ内容を確認することができる。
【０００３】
さらに、上記の付加情報と共に、蓄積されたメッセージをメールに添付して通知する移動通信無線装置が提案されている（例えば、特許文献２参照）。
【０００４】
【特許文献１】特開２００３−２６４６３７号公報
【特許文献２】特開２００３−２３４８４１号公報
【発明の開示】
【発明が解決しようとする課題】
【０００５】
しかしながら、前述の従来の技術では、例えば特許文献１に示す技術の場合は、どんなに細かい付加情報を通知しても、メッセージ内容自体は確認することができず、特許文献２に示技術の場合は、蓄積メッセージの件数が多いときに配信するメール数が増加し、さらに映像メッセージを取り扱うときは、添付するファイルサイズが大きくなり、通信網への負荷が高くなるという問題点がある。
【０００６】
本発明はこのような問題を解決するものであり、着信側の移動端末のユーザが手動で蓄積メッセージの再生をしなくても、ネットワークへの負荷を考慮しつつメッセージ内容を確実に知ることができる留守番電話サービス装置および蓄積メッセージ確認方法を提供することを目的とする。
【課題を解決するための手段】
【０００７】
このような目的を達成するために、請求項１に記載の発明は、留守番電話サービス装置であって、移動端末に着信があったにもかかわらず呼の接続ができない場合に音声を含む留守番電話メッセージを蓄積するメッセージ蓄積手段と、着信のあった移動端末との接続を行うネットワークの通信負荷状態を検出する負荷状態検出手段と、着信のあった移動端末のメールアドレスを取得するメールアドレス取得手段と、負荷状態検出手段により一定の負荷が検出されたときは、メッセージ蓄積手段において蓄積された留守番電話メッセージのうち前半部分のみを添付したメールを、メールアドレス取得手段において取得したメールアドレスに送信するメッセージ送信手段とを備えたことを特徴とする。
【０００８】
請求項２に記載の発明は、請求項１に記載の留守番電話サービス装置において、留守番電話メッセージは、画像データを含むことを特徴とする。
【０００９】
請求項３に記載の発明は、請求項１または２に記載の留守番電話サービス装置において、メッセージ送信手段は、留守番電話メッセージに関連する情報を含むメールを生成し、留守番電話メッセージを添付して送信することを特徴とする。
【００１０】
請求項４に記載の発明は、請求項３に記載の留守番電話サービス装置において、移動端末から予め設定された転送先アドレスに留守番電話メッセージを転送する転送指示を受信する転送指示受信手段をさらに備え、メッセージ送信手段は、転送指示が送信された場合は、留守番電話メッセージを予め設定された転送先アドレスに送信するとともに、留守番電話メッセージに関連する情報を含むメールをメッセージ添付なしで移動端末に送信することを特徴とする。
【００１１】
請求項５に記載の発明は、請求項３に記載の留守番電話サービス装置において、移動端末から、予め設定されたウェブサイトへの留守番電話メッセージの掲載指示を受信するウェブサイト掲載指示受信手段をさらに備え、メッセージ送信手段は、転送指示が送信された場合は、留守番電話メッセージを予め設定されたウェブサイトに掲載するとともに、留守番電話メッセージに関連する情報を含むメールをメッセージ添付なしで移動端末に送信することを特徴とする。
【００１２】
請求項６に記載の発明は、移動端末の公衆網に接続される留守番電話サービス装置において、蓄積された留守番電話メッセージを確認する蓄積メッセージ確認方法であって、移動端末に着信があったにもかかわらず呼の接続ができない場合に音声を含む留守番電話メッセージを蓄積するメッセージ蓄積ステップと、着信のあった移動端末との接続を行うネットワークの通信負荷状態を検出する負荷状態検出ステップと、着信のあった移動端末のメールアドレスを取得するメールアドレス取得ステップと、負荷状態検出手段により一定の負荷が検出されたときは、メッセージ蓄積手段において蓄積された留守番電話メッセージのうち前半部分のみを添付したメールを、メールアドレス取得手段において取得したメールアドレスに送信するメッセージ送信ステップとを備えたことを特徴とする。
【００１３】
請求項７に記載の発明は、プログラムであって、コンピュータに、移動端末の公衆網に接続される留守番電話サービス装置において、蓄積された留守番電話メッセージを確認する蓄積メッセージ確認方法であって、移動端末に着信があったにもかかわらず呼の接続ができない場合に音声を含む留守番電話メッセージを蓄積するメッセージ蓄積ステップと、着信のあった移動端末との接続を行うネットワークの通信負荷状態を検出する負荷状態検出ステップと、着信のあった移動端末のメールアドレスを取得するメールアドレス取得ステップと、負荷状態検出手段により一定の負荷が検出されたときは、メッセージ蓄積手段において蓄積された留守番電話メッセージのうち前半部分のみを添付したメールを、メールアドレス取得手段において取得したメールアドレスに送信するメッセージ送信ステップとを備えた蓄積メッセージ確認方法を実行させることを特徴とする。
【発明の効果】
【００１４】
本発明によれば、負荷状態検出手段により一定の負荷が検出されたときは、メッセージ蓄積手段において蓄積された留守番電話メッセージのうち前半部分のみを添付したメールを、メールアドレス取得手段において取得したメールアドレスに送信するメッセージ送信手段を備えているので、着信側の移動端末のユーザが手動で蓄積メッセージの再生をしなくても、ネットワークへの負荷を考慮しつつメッセージ内容を確実に知ることが可能となる。
【発明を実施するための最良の形態】
【００１５】
以下、図面を参照して本発明の実施の形態について詳しく説明する。
（第１実施形態）
本発明の一実施形態にかかる留守番電話サービス装置と蓄積メッセージ確認方法ついて、図面を参照して説明する。なお、複数の図面で同一部分には同一符号を付すこととし、重複する説明は省略する。まず、本実施形態にかかるネットワーク構成について図１により説明する。
【００１６】
本実施形態にかかるネットワーク構成は、回線交換１００、パケット網２００を介し、発信側の移動端末１０と着信側の移動端末２０とが通信可能な移動通信網である。ネットワーク内には、留守番電話サービスのメッセージを蓄積する留守番電話サービス装置３０および、メールサーバ４０により構成される。留守番電話サービス装置やメールサーバは、インターネット網３００と接続される。
【００１７】
次に留守番電話サービス装置の構成について説明する。図２は、本実施形態にかかる留守番電話サービス装置のブロック構成図である。本実施形態にかかる留守番電話サービス装置は、留守番電話サービスを提供するためのサービス制御部B１０とメッセージ蓄積部B２０とメッセージ変換部B３０、メッセージ加工部B４０、インターネットインターフェースI３００、移動通信網（回線交換、パケット交換網）インターフェースI１００，I２００とで構成される。
【００１８】
図３は、本実施形態にかかる留守番電話サービス装置と蓄積メッセージの確認方法に関する動作を示すシーケンス図である。このシーケンスは、正常動作シーケンスであり、メールサーバは、一般の移動通信網にて通常具備している考えられるメールサーバを想定したものである。図３を参照すると理解できるように、端末やサーバ間あるいは各モジュール間で要求や応答などのコマンドのやり取りを行って、本実施形態の処理が実行される。
【００１９】
図４は、加工判定処理を実行するため、ユーザの設定状況を管理するテーブルである。電話番号をインデックスとして各移動端末の設定情報がひも付けられ、管理されている。例えば、各電話番号で切り出しファイルサイズ値や蓄積メッセージ件数、さらに留守番電話メッセージを送信するため送信先のメールアドレスも予め設定しておく。
【００２０】
図５は、本願発明の一実施形態にかかる加工判定処理を実行するため、移動通信網の負荷状態を管理するテーブルである。負荷状態は、本技術分野で知られたいずれかの方法で検出し、例えば図５に示すようなテーブルにおいて管理しておき、留守番電話メッセージを送信する際の処理を決定するために使用される。
【００２１】
（本実施形態の処理）
図６は、本願発明の一実施形態にかかる加工判定処理のフローを示す図である。まず、発信側の移動端末１０が着信側の移動端末２０に発信をする。着信側の移動端末２０が圏外などの理由で、着信できない状況の場合、発信移動端末１０は着信移動端末２０が契約する留守番電話サービス装置３０へ接続される（Ｓ１０）。留守番電話サービス装置３０のサービス制御部Ｂ１０は、留守番電話サービスセンタ装置３０への接続すなわち、留守番電話サービス装置３０への接続信号を受信すると、メッセージの蓄積制御を実行する。すなわち、発信移動端末１０からメッセージの録音が実行されると、サービス制御部Ｂ１０は、メッセージ蓄積部Ｂ２０へメッセージ蓄積要求を送信する（Ｓ２０）。
【００２２】
メッセージ蓄積部Ｂ２０は、メッセージ蓄積要求を受信すると、メッセージのディスク書込みを行って蓄積を実行する。蓄積処理が完了すると、メッセージ蓄積部Ｂ２０は、サービス制御部Ｂ１０へ蓄積応答を返却する（Ｓ７０）。
【００２３】
メッセージ蓄積部Ｂ２０から、応答を返却されたサービス制御部Ｂ１０は、発信側の移動端末１０との留守番電話サービスセンタ接続３０を切断する（Ｓ８０）。また、メッセージ蓄積部Ｂ２０から、応答を返却されたサービス制御部Ｂ１０は、蓄積メッセージをメール添付可能な方式へ変換するため、メッセージ変換を実行する。すなわちサービス制御部Ｂ１０は、メッセージ変換部Ｂ３０へメッセージ変換要求を送信する（Ｓ３０）。
【００２４】
メッセージ変換部Ｂ３０は、メッセージ変換要求を受信すると、メッセージをメール添付可能な方式へ変換し、変換が完了すると加工を実行する。すなわち、メッセージ変換部Ｂ３０は、メッセージ加工部Ｂ４０へメッセージの加工要求を送信する（Ｓ４０）。ここでは、メッセージ変換部Ｂ３０が、メッセージ加工部Ｂ４０を制御、指示するシーケンスとなっているが、メッセージ変換部Ｂ３０が、サービス制御部Ｂ１０へ一旦応答を返却した後、サービス制御部Ｂ１０が、メッセージ加工部Ｂ４０へメッセージ加工要求を送信するようにすることもできる。
【００２５】
メッセージ加工部Ｂ４０は、メッセージ加工要求を受信すると、メッセージを適宜に短く加工し、メールに添付する最終的なメッセージを作成する。加工処理が完了すると、メッセージ変換部Ｂ３０へメッセージ加工応答を返却する（Ｓ５０）。ここで、メッセージ加工部Ｂ４０は、まずメッセージの加工判定を実行し、条件に応じてファイルサイズの加工処理を実行する。
【００２６】
加工判定処理は、図４および５に示す状態管理テーブルT１０，T２０に基づいて、図６に示すフローに従い実行される（本明細書の以下の説明では、３段階の判定処理を実行する）。加工判定処理では、移動通信網の負荷状態テーブルT２０を参照し、移動通信網の負荷状態を確認する（Ｆ１０）。
【００２７】
移動通信網の負荷状態は、留守番電話サービスセンタのサービス制御部Ｂ１０から、移動通信網内のオペレーションシステムとの間でインターフェースを保持して、データを取得したり、参照したりすることにより最新の移動通信網の負荷状態を確認することが可能であるが、その他本技術分野で知られたいずれの方法も用いることができる。移動通信網の負荷状態は、留守番電話サービスセンタと接続する回線使用率、経由交換機の回線使用率、メールサーバと移動端末との間を経由する回線仕様率、および経由する装置の負荷などの、移動端末と留守番電話サービスセンタとの間を経由する回線使用率等を指すものである。
【００２８】
移動通信網の負荷が高い場合（例えば、100％〜70％を越える場合）は、メッセージ添付はしない処理と判定し、処理を中断して加工応答によりメッセージ添付なしで通知のみを行う（Ｋ１０）。
【００２９】
移動通信網の負荷がそれほど高くない場合（例えば、70％〜50％の場合）は、配信するメール最大ファイルサイズの上限値を、通常の配信するメール最大ファイルサイズの2分の１とする。さらに、処理を継続しユーザの設定状況を確認する処理へと移行する（Ｆ２０）。ここで、添付するファイルのサイズを２分の１としたが、実際に処理する場合、予め留守番電話メッセージとして重要な部分と考えられる特定の部分を設定しておき、その部分を優先的に送信するようにすることもできる。例えば、メッセージの前半部分には発信者が最も重要であると考える内容を先ず記録することが多いため、負荷が一定以上の場合は、一律前半部分のみ送るようにすることもできる。
【００３０】
移動通信網の負荷が高くない場合（例えば、50％〜0％の場合）は、配信するメール最大ファイルサイズの上限値を、通常の配信するメール最大ファイルサイズのままとする。さらに、処理を継続しユーザの設定状況を確認する処理へと移行する（Ｆ２０）。このような処理により、負荷が高くない場合は蓄積されたメッセージを全て移動端末に送信することができる。
【００３１】
ユーザの設定状況が設定されていた場合は、指定のファイルサイズに加工を実行し（Ｋ２０）、処理を継続してメッセージ件数の確認を実行する（Ｆ３０）。ユーザの設定状況が設定されていない場合は、加工は実行せず、判定処理を継続しメッセージ件数の確認を実行する。
【００３２】
メッセージ件数が複数ある場合は、加工したファイルをメッセージとして添付することが可能なファイルサイズ容量をメッセージ件数で割ったファイルサイズに均等にするようさらに加工する（Ｋ３０）。メッセージ添付可能なファイルサイズ容量をメッセージ件数で割ったファイルサイズに満たない場合は、均等に加工せずに加工応答を返却する（Ｋ２０）。メッセージ件数が１つしかない場合は、加工せずにそのまま加工応答を返却する（Ｋ３０）。
【００３３】
サービス制御部Ｂ１０は、メッセージ加工部Ｂ４０から、メッセージ加工応答を受信すると、留守番電話契約者が所有する着信側の移動端末２０へのメッセージ添付メールの作成を実行する。サービス制御部Ｂ１０は、メール作成を完了すると、パケット網を経由しメールの送信を実行、すなわちメッセージ添付メール配信要求をメールサーバに対して送信する（Ｓ９０）。
【００３４】
メッセージ添付メール配信要求を受信したメールサーバ４０は、パケット網を経由して、着信側の移動端末２０へメールを配信する。すなわち、着信側移動端末２０に対して、メール配信要求を送信する（Ｓ１１０）。着信側の移動端末２０は、メールを受信する、すなわちメール配信要求を受信すると、メールサーバ４０に対してメール配信応答を返却する（Ｓ１２０）。
【００３５】
メールサーバ４０は、着信側の移動端末２０より、メール配信応答を受信すると、留守番電話サービス装置３０のサービス制御部Ｂ１０に対して、メッセージ添付メール配信応答を返却する（Ｓ１００）。メッセージ添付メール配信応答を受信したサービス制御部Ｂ１０は処理を終了する。
【００３６】
一方、メッセージ添付メール（蓄積メッセージ）を受信した着信側の移動端末２０は、受信したメール内容を参照することができる。着信側のユーザは、メールに添付されているファイルを開きメッセージを再生しメッセージ内容の確認を行う。
【００３７】
（第２実施形態）
次に、本願発明の別の実施形態にかかる留守番電話サービス装置について説明する。上記第１実施形態にかかる留守番電話サービス装置と蓄積メッセージの確認方法では、送信先のメールアドレスの取得を自網内で解決するため、移動通信網内のメールサーバにより配信することとしているが、ユーザが予めメールアドレスを留守番電話サービス装置へ登録をしておき、留守番電話サービス装置にて、リスト管理をすることで、留守番電話サービス契約者が指定するメールアドレスへ蓄積メッセージメールを送信することが可能となる。本実施形態では、このような方法で処理することにより、特にインターネット網にて提供されるメールアドレスを指定した場合、大容量かつ高速データ通信が可能となるため蓄積メッセージファイル容量を気にせずに、全てのオリジナルの蓄積メッセージ内容を受信することが可能となる。これは着信側の受け取ることができるパーソナルコンピュータや移動端末、あるいはＩＰ電話などを使用することができ、様々メディアを有効活用して留守番電話サービスを受けることができる。
【００３８】
上記の第１実施形態にかかる留守番電話サービス装置と蓄積メッセージの確認方法では、送信する蓄積メッセージのファイルサイズを考慮して、ファイルサイズを加工するようにしているが、本実施形態では例えば移動通信網内の専用WEBページにアップロードし、アップロード先アドレスを蓄積メッセージメールにて通知する機能を具備することによって、ファイルを加工することなく、全てのオリジナルの蓄積メッセージ内容を伝えることが可能となる。
【００３９】
さらに、ユーザが予めアップロード先のWEBアドレスを指定することができれば、メールで、URLを通知する必要はなくなり、アップロードが完了したことを通知するだけでよい。これによるとより少ない情報量にて蓄積メッセージの確認を行うことができる点で有効である。
【００４０】
本実施形態にかかる留守番電話サービス装置と蓄積メッセージの確認方法について、図７、図８および図９を用いて説明する。図７は、本実施形態にかかる留守番電話サービス装置と蓄積メッセージの確認方法例に関する動作を示すシーケンス図である。
【００４１】
図８は、本実施形態に関する加工判定処理を実行するため、ユーザの設定状況を管理するテーブルを示す図である。基本的には、第１実施形態と同様の構造を有するが、アップロード先等の情報が追加されている。
【００４２】
図９は、本実施形態に関する加工判定処理のフローを示す図である。シーケンスは、基本的に正常動作のみのシーケンスであり、異常系については本技術分野で知られたいずれの処理を用いることもできる。メールサーバは、移動通信網にて具備しているメールサーバ、またはインターネット網にて具備しているメールサーバを想定するが、これに限られず本願発明の目的を達成することができる任意のサーバを使用することができる。また、WEBサーバは、移動通信網内におけるWEBサーバまたは、インターネット網にて具備しているWEBサーバを想定したものである。
【００４３】
メッセージ加工部Ｂ４０が、メッセージ蓄積部Ｂ２０から、メッセージ加工要求を受信するところまでは、前述の第１実施形態にかかる留守番電話サービス装置と蓄積メッセージの確認方法に関する動作（図３を参照して説明済み）と同様のため省略する。本実施形態における共通動作以降の動作について以下に説明する。
【００４４】
メッセージ加工部Ｂ４０がメッセージ蓄積部Ｂ２０より、メッセージ加工要求を受信すると、図８に示すユーザの設定状態を確認し、図９に示すフローに基づきデータアップロード処理を実行する。すなわち、メッセージ加工部Ｂ４０がメッセージ蓄積部Ｂ２０より、メッセージ加工要求を受信すると、ユーザ状態を確認してアップロード指定があるかどうか確認する。
【００４５】
アップロード指定がある場合は、アップロードを実行する。すなわち、メッセージ加工部Ｂ４０は、指定されたアドレスに対して、アップロード要求を送信する（Ｓ１３０１）。アップロード要求を受信したWEBサーバは、アップロード応答を返却する（Ｓ１４０１）。アップロード応答を受信したメッセージ加工部Ｂ４０は、サービス制御部Ｂ１０へ、メッセージ加工応答を送信する（Ｋ２０１）。
【００４６】
サービス制御部Ｂ１０は、メッセージ加工部Ｂ４０からメッセージ加工応答を受信すると、留守番電話契約者である着信側の移動端末２０へのメッセージ添付メールの作成を実行する。サービス制御部Ｂ１０は、メール作成を完了すると、図８に示すユーザ設定状態を確認してメールの送付先の指定があるかどうか確認する。指定がある場合は、その指定で示されるアドレスのメールサーバに対してメール送信要求を送信する（Ｓ９０１）。
【００４７】
メール配信要求を受信したメールサーバは、着信側の移動端末２０へメールを配信する。すなわち、着信側移動端末２０に対して、メール配信要求を送信する（Ｓ１１０１）。着信側の移動端末２０は、メールを受信すると、すなわちメール配信要求を受信すると、メールサーバに対してメール配信応答を返却する（Ｓ１２０１）。
【００４８】
メールサーバは、着信側の移動端末２０よりメール配信応答を受信すると、留守番電話サービス装置のサービス制御部Ｂ１０に対して、メール配信応答を返却する（Ｓ１００１）。メール配信応答を受信したサービス制御部Ｂ１０は、この処理を終了する。
【００４９】
一方、メールを受信した着信側の移動端末２０は、受信したメール内容を参照する。メールに設定されているWEBアドレス、または自分が指定するWEBアドレスへアクセスしメッセージ内容の確認を行う。この場合、パーソナルコンピュータ用のメールアドレスを指定しておけば、パーソナルコンピュータで留守番電話メッセージを受信することができるので、移動端末にメッセージが送られる場合の料金等を気にする必要がなくなる。同様に、移動端末２０には留守番電話メッセージが蓄積された旨のみ通知されれば良く、その情報にしたがって、特定のウェブサイトからメッセージをダウンロードすることもできる。
【図面の簡単な説明】
【００５０】
【図１】本実施形態にかかる無線システムの構成を示す図である。
【図２】本実施形態の留守番電話サービス装置のブロック構成図である。
【図３】本実施形態にかかる留守番電話サービス装置と蓄積メッセージの確認方法に関する動作を示すシーケンス図である。
【図４】本実施形態の加工判定処理を実行するため、ユーザの設定状況を管理するテーブルである。
【図５】本願発明の一実施形態にかかる加工判定処理を実行するため、移動通信網の負荷状態を管理するテーブルである。
【図６】本願発明の一実施形態にかかる加工判定処理のフローを示す図である。
【図７】本実施形態にかかる留守番電話サービス装置と蓄積メッセージの確認方法例に関する動作を示すシーケンス図である。
【図８】本実施形態に関する加工判定処理を実行するため、ユーザの設定状況を管理するテーブルを示す図である。
【図９】本実施形態に関する加工判定処理のフローを示す図である。
【符号の説明】
【００５１】
１０  発信側端末
２０  着信側端末
３０  留守番電話サービス装置
４０  メールサーバ
５０  オペレーションシステム
１００  回線交換網
２００  パケット交換網
３００  インターネット
【図１】
2008270932.tif 000003
【図２】
2008270932.tif 000004
【図３】
2008270932.tif 000005
【図４】
2008270932.tif 000006
【図５】
2008270932.tif 000007
【図６】
2008270932.tif 000008
【図７】
2008270932.tif 000009
【図８】
2008270932.tif 000010
【図９】
2008270932.tif 000011